(57)【要約】【課    題】誰もが手軽にしかも均質な貼り着け状態を実現できるのみならず、障子紙の直線的切断も容易になすことができるようにした障子紙の貼着用ホルダー装置を提供すること、また、本発明は外枠の上面よりも低い位置に棧の上面が位置した異形タイプの障子枠に対してもスムーズかつ合理的に障子紙を貼着できるホルダー装置、或は、ロール状障子紙の繰出しを自動化したホルダー装置を提供することを課題とするものである。【解決手段】ロール状に巻取られた障子紙１をその幅方向の両側において回転可能に支持する左，右のブラケット部材３，４と、該ブラケット部材３，４に支持され前記障子紙１の繰出し側の外周面に当てがわれる当接面を有する繰出ガイドとにより形成された紙繰出部５と、この紙繰出部５の紙繰出し側前方において前記ブラケット部材３，４に設けた繰出される障子紙１の幅方向と平行な紙押え部６と、該紙押え部６近傍において前記ブラケット部材３，４に設けた位置決め部とを具備すること。【選択図】    図１
2005023700.tif 000002
【特許請求の範囲】
【請求項１】
ロール状に巻取られた障子紙をその幅方向の両側において回転可能に支持する左，右のブラケット部材と、該ブラケット部材に支持され前記障子紙の繰出し側の外周面に当てがわれる当接面を有する繰出ガイドとにより形成された紙繰出部と、この紙繰出部の紙繰出し側前方において前記ブラケット部材に設けた繰出される障子紙の幅方向と平行な紙押え部と、該紙押え部近傍において前記ブラケット部材に設けた位置決め部とを具備することを特徴とする障子紙の貼着用ホルダー装置。
【請求項２】
ロール状に巻取られた障子紙をその幅方向の両側において回転可能に支持する左，右のブラケット部材と、該ブラケット部材に支持され前記障子紙の繰出し側の外周面に当てがわれる当接面を有する繰出ガイドとにより形成された紙繰出部と、この紙繰出部の紙繰出し側前方において前記ブラケット部材に設けた繰出される障子紙の幅方向と平行な紙押え部とを具備した障子紙貼着用ホルダーを、前面下部に障子枠の位置決め部を形成したスタンドにマウントしたことを特徴とする障子紙の貼着用ホルダー装置。
【請求項３】
スタンドにマウントした貼着用ホルダーを平板状の作業台の一端に配置すると共に、この作業台の他端に、当該作業台に沿って移動可能な障子紙掴み機構、又は、位置固定の障子紙の掴み機構を設けたことを特徴とする障子紙の貼着用ホルダー装置。
【請求項４】
位置固定の掴み機構を具備した貼着用ホルダー装置は、障子紙貼着用ホルダーの近くにロールによる紙送出し機構を設けた請求項３の障子紙の貼着用ホルダー装置。
【請求項５】
紙繰出し部の近傍に設けるブレーキ機構は、送出される紙に作用する抵抗力を調整できるように形成した請求項３の障子紙の貼着用ホルダー装置。
【発明の詳細な説明】
【０００１】
【発明の属する技術分野】
本発明は障子紙、壁紙、フィルムシート、襖紙など（以下、これらを総称して本明細書では単に「障子紙」という）を、それを貼付けるべき枠や基板、或は、壁面などの面（以下、これらを総称して単に「枠」という）に貼着ける際に用いて有用な貼着用ホルダー装置に関する。
【０００２】
【従来の技術】
障子紙はロール状に巻取られているため、これを障子などの枠に貼付けるには、予め糊を塗布した枠に、前記ロールから繰出される障子紙の端部を、前記枠における一方の枠に片手で押えながら貼着し、この状態で前記ロールから障子紙を枠の他方の枠の側へ引張って繰出し、当該他方の枠の紙の末貼着部に手で押え付けながら貼り着けるといった具合に、はなはだ煩しい手間を要している。
【０００３】
また、ロールから繰出されて障子枠の一方側の枠から他方側の枠まで貼り着けられた障子紙は、その枠の正面幅（左右幅）の長さに合せて他方の枠に沿ってカッターなどにより切断しているが、曲がらないように切断することは容易ではない。この点は、障子枠以外の板面や壁面に対する貼着においても同様である。
【０００４】
【発明が解決しようとする課題】
本発明は障子紙の上記のような貼り着け態様に鑑み、誰もが手軽にしかも均質な貼り着け状態を実現できるのみならず、障子紙の直線的切断も容易になすことができるようにした障子紙の貼着用ホルダー装置を提供することを、課題の一つとする。また、本発明は外枠の上面よりも低い位置に棧の上面が位置した異形タイプの障子枠に対してもスムーズかつ合理的に障子紙を貼着できるホルダー装置、或は、ロール状障子紙の繰出しを自動化したホルダー装置を提供することを課題とするものである。
【０００５】
【課題を解決するための手段】
上記課題を解決することを目的としてなされた本発明貼着用ホルダーの構成は、ロール状に巻取られた障子紙をその幅方向の両側において回転可能に支持する左，右のブラケット部材と、該ブラケット部材に支持され前記障子紙の繰出し側の外周面に当てがわれる当接面を有する繰出ガイドとにより形成された紙繰出部と、この紙繰出部の紙繰出し側前方において前記ブラケット部材に設けた繰出される障子紙の幅方向と平行な紙押え部と、該紙押え部近傍において前記ブラケット部材に設けた位置決め部とを具備することを第一の特徴とするものである。
【０００６】
【発明の実施の形態】
次に、本発明貼着用ホルダー装置の実施形態の一例について図により説明する。図１は本発明ホルダー装置の一例の側断面図、図２は図１のホルダー装置の平断面図、図３と図４はハンディタイプの本発明ホルダー装置の一例によって枠に障子紙を貼り着ける状態を模式的に示した側面図、図５と図６は本発明の貼着用ホルダーを固定式スタンドにマウントした本発明ホルダー装置の別例の使用状態を模式的に示した側面図、図７は本発明ホルダー装置の他の例の平面図、図８は図７のホルダー装置の正断面図、図９は図７のホルダーの使用状態を説明するための正断面図、図１０は本発明ホルダー装置の紙繰出しを自動化した例の要素を示す正断面図、図１１は図１０の装置の使用状態を示す正断面図、図１２は本発明ホルダー装置におけるブレーキ機構の作用を説明するための側面図、図１３はブレーキ機構の一例の断面図、図１４はブレーキ機構の別例の断面図である。
【０００７】
図１，図２において、１はロール状に巻芯１ａに巻取られている障子紙、２は芯１ａに貫挿された支持軸で、この軸２には、左右（図２では上，下）のブラケット部材３，４が、少なくとも一方のブラケット３又は４を着脱可能にして、装着されている。ロール状の障子紙の中には、巻芯１ａを有しない巻取りタイプのものもある。
【０００８】
左右のブラケット３，４は、前記ロール状障子紙１の左右の側面に当てがわれる円形部３ａ，４ａと、この円形部３ａ，４ａから図１の例では右方にテーパ状に延びた延出部３ｂ，４ｂとを一体に具備した板状部材により形成されており、延出部３ｂ，４ｂの間には、この後に説明する紙繰出部５とカッターガイド部を兼ねた紙押え部６と位置決め部７とが設けられている。なお、ブラケット３，４の形状は、図示に例示した形状に限られるものではない。
【０００９】
紙繰出部５は、障子紙１の前面を半周ほど覆うように形成されたほぼ半円筒状をなすカバー部５ａと、このカバー部５ａを横断する形でスリット状に形成された開口部５ｂと、この開口部５ｂの上，下から図１の右方へ、断面形状がほぼ嘴状をなすよう突出させて形成した繰出ガイド部５ｃにより構成され、前記ブラケット３，４の間に配置されている。
【００１０】
カッターガイド部を兼ねた紙押え部６は、左右のブラケット３，４における延出部３ｂ，４ｂの間において、繰出ガイド部５ｃの先端との間に形成される前記開口部５ｂと平行な隙間６ａと、この隙間６ａに挿入されるカッターの刃（図示せず）のスライドを支持するガイドバー６ｂにより形成されている。
【００１１】
位置決め部７は、上記繰出ガイド部５ｃの先端部の下方に位置して左右のブラケット３，４における延出部３ｂ，４ｂの下辺を、一例として９０度に切り欠いた切欠部により形成され、障子の枠Ｆ２に本発明ホルダー装置を当てがう際の位置決め手段として機能するものである（図３，図４参照）。なお、図３，図４の例では、位置決め部７はほぼ１２０度の角度で形成された切欠部により形成されている。従って、位置決め部７となる切欠部の切欠角度は、任意である。
【００１２】
以上により本発明の障子紙貼着用ホルダー装置Ｈ１の一例が構成されるので、次にその使用例について図３，図４により説明する。
【００１３】
まず、ロール状障子紙１を本発明ホルダー装置Ｈ１にセットする。このセッティングでは、ブラケット３又は４を軸２から外して障子紙１の巻芯１ａを軸２に通し、その障子紙１の繰出し先端１Ａを紙繰出部５の開口部５ｂから繰出ガイド部５ｃを通して当該ガイド部５ｃの先端から少し引出しておく、
【００１４】
上記の状態において、障子紙１を貼り着けたい障子枠Ｆにおける左，右の枠Ｆ１，Ｆ２と棧ｆの表面に糊を塗り、前記紙１の先端１Ａを上から押えて図３の右側の枠Ｆ１に貼り着ける。そして、貼り着けた先端１Ａの部分より後方の障子紙１を引出すため、棧ｆから浮かせた状態で本発明ホルダー装置Ｈ１を図３の左方へ引くように移動させ、障子紙１をそのロールから繰出させる。
【００１５】
本発明ホルダー装置Ｈ１から繰出される障子紙１の繰出手前端部１Ｂが図３の左側の枠Ｆ２の位置に達したら、図３に示すように位置決め部７をその枠Ｆ２に当てホルダー装置Ｈ１を後傾（図３の左側）するように傾けて貼り着ける紙１が枠の上でピンと張り加減になるように本発明ホルダー装置の姿勢を保つ。次に、図４に示すように、本発明ホルダー装置を、その位置決め部７が図３の場合に比べ少し持上げた姿勢に変えて紙押え部６のバー部材６ｂの下面でこの紙１の手前端部１Ｂを上から押え、当該障子紙１の全体を糊が塗られている棧ｆと左側の枠Ｆ２の上に貼り着ける。
【００１６】
上記のようにして障子紙１の枠全体に対する貼り着けが済めば、本発明ホルダー装置Ｈ１を図４の姿勢に保持したまま、カッターガイド部（紙押え部６）の隙間６ａにカッターの刃（図示せず）を入れ、その刃をガイドバー６ｂに沿って走行させることにより、障子紙１の繰出手前端部１Ｂをカットして、この回の障子紙貼着が終了する。なお、本発明において上記のカッターは、ガイドバー６ｂにスライド自在に装着したタイプとすることもできる。
【００１７】
一枚の障子枠Ｆに対して貼り着けられる障子紙１は、例えば複数段の棧ｆを単位にして貼り着けられる場合、本発明ホルダーを用いた貼り着けでは、一枚の障子枠に対して上記使用態様で複数回使用することにより一枚の障子枠Ｆに対する紙の貼り着けを行う。一枚の障子枠Ｆに対して一枚の障子紙を一度で貼着する場合には、本発明ホルダー装置も、その紙幅に合う幅に形成したものを用い、障子枠Ｆに対して縦方向から貼着することになる。
【００１８】
本発明では、ホルダー装置Ｈ１のブラケット３，４に位置決め部７を設けず、或は、位置決め部７を有していてもそれを利用せずに、図５，図６に例示するような形態の位置決め用のスタンド８を用いて使用することもできるので、次のこの点について説明する。
【００１９】
スタンド８は、図５，図６の例に示したスタンド８を側面から見ると略凵状に形成され、その左右側壁８ａに軸受８ｂを形成し、この軸受８ｂに本発明ホルダー装置Ｈ１の軸２を支持させると共に、側壁８ａの前端面に、その面と前方へ突出させた底板８ｃの上面によって９０度のコーナー部８ｄを形成し、このコーナー部８ｄに障子枠における左側の枠Ｆ２を載せて使用するように形成されている。
【００２０】
図５，図６に例示したスタンド８にホルダー装置Ｈ１が一体化されたものでは、左側の枠Ｆ２に本発明ホルダー装置Ｈ１をセットし、この位置から障子紙１を手で右方へ引出し、その先端１Ａを右側の枠Ｆ１に貼り着ける。この後、ホルダー装置Ｈ１の向きを図６のように変えて繰出端部１Ｂと中間部の障子紙１を棧ｆと左側の枠Ｆ２に貼り着け、このあとカッターで貼った紙１をカットする作業に進む。図５，図６に例示した装置は、例えば襖に襖紙を１回の操作で貼り着けるような場合に好適である。
【００２１】
図５，図６のようにホルダー装置Ｈ１をスタンド８に軸２において装着した型式のものでは、ホルダー装置Ｈ１が図５の水平姿勢と、図６の下向き姿勢を自己保持できるように、軸２とその軸受の間にバネやゴムなどを利用したフリクション機構をかませたり、軸受８ｂの軸保持力をきつめに形成することにより、ホルダー装置Ｈ１がスタンド８の上で勝手に向きを変えないようにすることが望ましい。
【００２２】
一方、本発明ではスタンド８の軸受８ｂをＵ字状などのオープン軸受に形成し、このオープン軸受８ｂにホルダー装置を着脱式でマウントする形式に構成することもできる。この形式のものでは、図３，図４で説明した要領と同じ要領で、ホルダー装置Ｈ１をスタンド８の軸受８ｂから外して手に持ち、障子紙１の先端１Ａを右側の枠Ｆ１に貼り着け、そのまま当該ホルダー装置Ｈ１を図５の左側に引いて紙１を棧ｆから浮かせた状態で繰出し、繰出端１Ｂが左側の枠Ｆ２の上に来たら、このホルダー装置Ｈ１の軸２を、セットされているスタンド８の軸受８ｂに支持させてホルダー装置の姿勢を図６のように変えてこの紙１を障子枠に貼り着け、この後、先の例と同様にカッターによって紙１を枠Ｆ２の上でカットすることにより貼り着付けを終える。
【００２３】
ところで、最近の日本人の高身長化や生活の多様化などを反映して、最近の障子枠Ｆはサイズも多様化し、また枠Ｆと棧ｆが同じ面ではなく棧ｆが外枠Ｆ１などより少し低く形成された障子枠Ｆが多く見られるようになった。
【００２４】
そこで本発明では、障子紙の幅を整えるために、その紙を縦方向に（繰出し方向）に沿って切るためのカッターを本発明ホルダー装置に設ける。この場合において、障子枠Ｆのサイズに合せて障子紙を縦方向切断するために、前記カッターを障子紙の幅方向にスライド可能に設けることがある。また、紙押さえ部の長さを障子枠の内側に合うように調節するか、或は、紙押え部を紙幅に合ったものと取換えできるように形成する必要がある。
【００２５】
障子枠のサイズに合せて障子紙を縦方向にまっすぐに切るため、カッターを、刃を縦方向（紙の繰出し方向）に向けて配置し、このカッターを障子枠のサイズに合せて横方向（紙の幅方向）にスライドさせる機能を持たせる。このとき、障子紙は枠に対して平行に引張り出せるように支持されているものとする。
【００２６】
上記のような要請に応えることができる本発明ホルダー装置の例として、本発明では図７〜図９に例示したホルダー装置Ｈ２を構成したので、以下に説明する。なお、図７〜図９において、図１〜図６の符号と同一符号は同一部材，同一部位を示すものとする。
【００２７】
図７〜図９において、１１は障子枠Ｆを水平な姿勢で平らに載せることができる矩形板状の作業台で、本発明ホルダー装置Ｈ２が作業台１１の左側の上面に架装されていると共に、作業台１１の右側上面には障子紙１の先端部１Ａを支持する掴み機構１２が、作業台１１の左右方向に移動可能にマウントされている。
【００２８】
前記の作業台１１は、その上面の下方寄りに障子枠Ｆの位置決めバー１１ａを有すると共に、裏面に脚１１ｂを具備している。
【００２９】
掴み機構１２は、作業台１１の縁（図７の上下辺）をスライド自在にホールドしたスライダ１２ａ，１２ａにブラケット１２ｂ，１２ｂを立て、このブラケット１２ｂ，１２ｂに軸１２ｃで支持されるアーム１２ｄ，１２ｄを回転可能に設け、両アーム１２ｄ，１２ｄに第２紙押え部材１３を兼用する紙端掴み部材１３を設けて構成されている。
【００３０】
ここで、上記紙押え部材１３（紙端掴み部材１３）は、掴む紙幅に対応するため、部材本体１３ａに対してスライドできるスライド材１３ｂと、スライド部材１３ｂと本体１３ａの空隙を埋めるキャップ材１３ｃを具備して形成されている。この紙押え部材１３の構成は、作業台１１の左側のホルダー装置Ｈ２における紙押え部６の押え部材６１についても同様の構成が採られている。ここで６１ａは部材本体６１ｂはスライド部材、６１ｃはキャップ部材である。
【００３１】
図７〜図９のホルダー装置Ｈ２は、紙１の幅を所要の幅に形成する、具体的には枠Ｆの幅に合せて、紙１をその繰出し方向に沿ってカットするためのカッター１４が設けられている。このカッター１４は、ホルダー装置Ｈ２の幅方向（図の上下方向）に沿って移動可能に設け、カットしたい紙幅に対応できるように設けられている。
【００３２】
また、このホルダー装置Ｈ２は、上記カッター１４の手前に、繰出される紙１に制動をかける繰出しブレーキ機構１５が設けられている。このブレーキ機構１５は、２本のバー部材１５ａ，１５ｂの間に紙１を通すことにより、バー部材１５ａ，１５ｂと紙１とのすべり摩擦によって繰出される紙１が繰出され過ぎないように作用すると共に、繰出した紙１を枠Ｆに対しピンと張るためのものである。軸２に対する。
【００３３】
作業台右側の掴み機構１２をその作業台１１に沿って図の左方に移動させ、作業台左側のホルダー装置Ｈ２から紙１の先端１Ａをつまみ出し右側所定の位置に移動させ、紙押え部材１３を下へ押し下げる。次に、左側のホルダー装置Ｈ２のブラケットアーム３１，４１を押し下げ、カッター溝６ａにそって図示しないカッターを入れ紙１を切り離す。ここで、掴み機構１２のスライド構造は、その簡易タイプとして枠Ｆをスライドガイドとして利用するようにしてもよい。
また、紙の繰出し送りを自動化する場合、送り機構を別に設け両端のホルダー装置Ｈ２と掴み機構１２を固定するタイプとしてもよい。送りの自動化の例については、次に図１０，図１１を参照して説明する。
更に、上述した本発明貼着ホルダー装置は、作業性などから見た利便性や操作性に鑑み、作業台１１を水平なむきから垂直な向きまでの間の姿勢を選択し、その選択した姿勢で使用するようにしてもよい。
【００３４】
紙１の自動繰出し送り機構としては、図７〜図９で説明した本発明装置を例に取れば、ブレーキ機構１５と紙押え部材６１の間に、送出しローラ１６ａ，１６ｂを上下に配置して形成し、紙１を両ローラ１６ａ，１６ｂに挟持させて両ローラの間から送り出すようにする。また、送り出された紙１と枠Ｆの隙間を埋めるため押えローラ１７を図１０のように使用する。押えローラ１７は２個以上設けることもある。このローラ１７は、フィルムシートなどのシート地を面に貼着する場合の空気抜きとしても作用する。なお押えローラ１７を設けた場合には、押え部材６１を設けない構成とすることがある。押えローラ１７が装置の左側に位置したとき、このローラ１７が押え部材６１と同じ働きをするからである。
【００３５】
送り機構（図は送出しローラ１６ａ，１６ｂ）により所定の位置まで紙１を送出し、作業台右側の紙押え部１３ｄ，１３ｅで紙１の先端１Ａを固定し、押えローラ１７等で図の右側から左方へ押えて行く。この場合、右側の紙押え部１３ｄ，１３ｅの付近では枠Ｆと紙１は接しているが、左側の押え部６１，６２の付近では枠Ｆと紙１は離れているため、引出した紙１の右側から押えローラ１７により左方へ向って順次押えて行くと枠Ｆと紙１の間の空気は抜けて行く。そして、左側まで押えローラ１７が行き着いた時、左側の紙押え部６１を下げるかローラ１７の進行に従って除々に押え部６１を下げて行き最後に所定の位置で紙１の手前側１Ｂをカットする。
【００３６】
次に本発明ホルダー装置におけるブレーキ機構について図１２〜図１４を参照して説明する。
【００３７】
図１２において、送出される紙１の通路の上端をＡ、枠Ｆの左側端をＢ、右側端をＣ、紙押え部をＰに設定する。各点Ａ，Ｂ，Ｃの位置は固定されているものとする。いま、点Ｐを点Ｂに近ずけようとすると、線分Ｃには張力が働くので、最後には破断してしまう。そこで、本発明では点Ｐが点Ｂに近付いても線分Ａ，Ｃに張力を持たせつつ破断させないように、点Ａにブレーキ機構を取付けた。
【００３８】
ブレーキ機構の具体例を図１３と図１４に例示する。紙１の送出し通路を上側と下側とに分離し、分離した下側を、ホルダー装置本体と一体の通路部分として形成すると共に、分離した上側を、紙ロール１の取付軸２を中心として回転可能なアーム３１，４１に形成し、下側通路に接するようにブレーキ機構１５をアームに架設する。このブレーキ機構１５は図１３と図１４に示すように、アーム３１，４１の上，下運動を直接に下側通路に伝えず、スプリング１５ｃを介して伝えるようにする。この結果、アーム３１，４１を押し下げると、スプリング１５ｃを介して接触圧力が強くなり摩擦力が大きくなって紙の張りを増す。従って、スプリング１５ｃの反発力を調節することにより目的とする紙の張りを得ることができる。
【００３９】
ここで、ブレーキ機構１５を下側通路に取付け、一定の圧力で送り出される紙をブレーキングするか、又は、アーム３１，４１を押下げるとき、ブレーキ機構１５の上部を下げて送り出される紙をブレーキングするように形成すると、アーム３１，４１には紙押え部材のみを装着すれば足りる。また、ブレーキ力を得るため、図の例ではコイルスプリング１５ｃを使用しているが、板スプリングや空気圧或は油圧を使うことも可能である。
【００４０】
【発明の効果】
本発明は以上の通りであって、障子紙を貼るとき、貼られる障子紙にたるみやしわが寄ることなく均質に枠に張り付けることができるようにするため、ロール状に巻取られた障子紙をその両側において回転可能に支持する左，右のブラケット部材と、該ブラケット部材に支持された前記障子紙の前面側外周面にその外周面に沿って当てがわれる保持面を有し、かつ、該保持面と連続して前記障子紙が繰出される側に延出形成された繰出ガイドを具備して前記左右のブラケット部材の間に設られた紙繰出部と、この紙繰出部の先端部に形成した前記障子紙と平行な紙押え部を兼用するカッターガイド部と、該カッター部近傍に設けた位置決め部とによって障子紙張り付け用のホルダー装置を形成したので、不慣れな人であってもきれいな障子紙貼りを容易に実現することができる。
【００４１】
また、本発明では、紙の送りを自動化したり、紙に所定の張力を与えるブレーキ機構を設けることにより、ホルダー装置を大型化することもでき、従って、壁面やガラス面などの広い面に対するシート材などの貼着作業を省力的かつ効率よく行う装置としてきわめて有用である。
【図面の簡単な説明】
【図１】本発明ホルダー装置の一例の側断面図
【図２】図１のホルダー装置の平断面図
【図３】ハンディタイプの本発明ホルダー装置の一例によって枠に障子紙を貼り着ける状態を説明するために模式的に示した側面図
【図４】ハンディタイプの本発明ホルダー装置の一例によって枠に障子紙を貼り着ける状態を説明するために模式的に示した側面図
【図５】本発明の貼付用ホルダーを固定式スタンドにマウントした本発明ホルダー装置の別例の使用状態を説明するために模式的に示した側面図
【図６】本発明の貼付用ホルダーを固定式スタンドにマウントした本発明ホルダー装置の別例の使用状態を説明するために模式的に示した側面図
【図７】本発明ホルダー装置の他の例の平面図
【図８】図７のホルダー装置の正断面図
【図９】図７のホルダーの使用状態を説明するための正断面図
【図１０】本発明ホルダー装置の紙繰出しを自動化した例の要素を示す正断面図
【図１１】図１０の装置の使用状態を示す正断面図
【図１２】本発明ホルダー装置におけるブレーキ機構の作用を説明するための側面図
【図１３】ブレーキ機構の一例の断面図
【図１４】ブレーキ機構の別例の断面図
【符号の説明】
１        ロール状障子紙
２        軸
３，４    ブラケット
５        紙繰出部
６        カッターガイド部を兼ねた紙押え部
７        位置決め部
８        スタンド
【図１】
2005023700.tif 000003
【図２】
2005023700.tif 000004
【図３】
2005023700.tif 000005
【図４】
2005023700.tif 000006
【図５】
2005023700.tif 000007
【図６】
2005023700.tif 000008
【図７】
2005023700.tif 000009
【図８】
2005023700.tif 000010
【図９】
2005023700.tif 000011
【図１０】
2005023700.tif 000012
【図１１】
2005023700.tif 000013
【図１２】
2005023700.tif 000014
【図１３】
2005023700.tif 000015
【図１４】
2005023700.tif 000016
【手続補正書】
【提出日】平成15年8月6日(2003.8.6)
【手続補正１】
【補正対象書類名】明細書
【補正対象項目名】００３２
【補正方法】変更
【補正の内容】
【００３２】
また、このホルダー装置H2は、上記カッター14の手前に、繰出される紙１に制動をかける繰出しブレーキ機構15が設けられている。このブレーキ機構15は、２本のバー部材15a，15bの間に紙１を通すことにより、バー部材15a，15bと紙１とのすべり摩擦によって繰出される紙１が繰出され過ぎないように作用すると共に、繰出した紙１を枠Ｆに対しピンと張るためのものである。
【手続補正２】
【補正対象書類名】明細書
【補正対象項目名】００３７
【補正方法】変更
【補正の内容】
【００３７】
図12において、送出される紙１の通路の上端をＡ、枠Ｆの左側端をＢ、右側端をＣ、紙押え部をＰに設定する。各点Ａ，Ｂ，Ｃの位置は固定されているものとする。いま、点Ｐを点Ｂに近ずけようとすると、線分Ａ，Ｃには張力が働くので、最後には破断してしまう。そこで、本発明では点Ｐが点Ｂに近付いても線分Ａ，Ｃに張力を持たせつつ破断させないように、点Ａにブレーキ機構を取付けた。